(57)【要約】【課題】食べこぼしによる衣服や床等の汚染を防止することが可能な食べこぼし防止用盆の提供。【解決手段】食物を載せる盆本体２と、この盆本体２の底面下にスライド可能に装着される食べこぼし受け用部材３とを備える食べこぼし防止用盆１である。この食べこぼし防止用盆１では、スライド可能な食べこぼし受け用部材３が盆本体２の底面下に装着されているので、盆本体２の上に食物を載せたままの状態で食べこぼし受け用部材３のみを手前に引き出すことができ、食台と人との間の隙間をこの引き出した食べこぼし受け用部材３により塞ぎ、食べこぼし受け用部材３により食べこぼした食物を受け止めることで、食べこぼした食物が衣服や床等の上に落ちることを防止し、食べこぼした食物による衣服や床等の汚染を防止することができる。【選択図】図１
2006000683.tif 000002
【特許請求の範囲】
【請求項１】
食物を載せる盆本体と、
この盆本体の底面下にスライド可能に装着される食べこぼし受け用部材と
を備えた食べこぼし防止用盆。
【請求項２】
前記食べこぼし受け用部材は、可撓性を有するものとした請求項１記載の食べこぼし防止用盆。
【請求項３】
前記食べこぼし受け用部材は、前記スライド方向の側壁部を備え、
前記盆本体は、周縁部に前記食べこぼし受け用部材の側壁部と嵌合する側壁部を備えた
請求項１または２に記載の食べこぼし防止用盆。
【請求項４】
前記食べこぼし受け用部材の側壁部は、この側壁部に可撓性を持たせるためにこの側壁部上端から前記食べこぼし受け用部材の底部に向かって切り込みが形成されたものである請求項３記載の食べこぼし防止用盆。
【請求項５】
前記盆本体は、同盆本体の側壁部の外側下部に、同盆本体の底面下と前記食べこぼし受け用部材との間に隙間を形成するための脚部を備えた請求項３または４に記載の食べこぼし防止用盆。
【請求項６】
前記食べこぼし受け用部材の奥行きは、前記盆本体の奥行きよりも長いことを特徴とする請求項１から５のいずれかに記載の食べこぼし防止用盆。
【発明の詳細な説明】
【技術分野】
【０００１】
本発明は、食物を載せる盆に係り、より詳しくは、食事の際の食べこぼし防止機能を備えた食べこぼし防止用盆に関する。
【背景技術】
【０００２】
食台にて食事をする際、食台と人との間に必ず隙間ができる。そのため、食物を食台上から口まで運ぶ際に食べこぼしが生じると、食べこぼした食物が衣服や床等の上に落ち、これらを汚すことになる。従来、このような食べこぼしによる衣服等の汚染防止のために、首から前掛けをして食事するなどしているが、この前掛けだけでは食べこぼした食物を完全に受けきれず、衣服等の上に落ちることも多い。
【０００３】
ところで、食事の際には食物を盆に載せて取ることも多い。盆としては、例えば、特許文献１に記載のように、本体の枠内にスライド部材の側部枠が摺動自在に挿入された伸縮自在な盆が知られている。この伸縮自在な盆は、収納時には縮ませてコンパクトに圧縮できるので収納に便利であるとともに、大きな物を置く場合には大きく拡大させることができるので大きなものを載せるのに有利である。
【０００４】
【特許文献１】実開昭４８−２０７７８号公報（明細書第２−３頁、第３図）
【発明の開示】
【発明が解決しようとする課題】
【０００５】
前述のように、食台にて食事をする際、食台と人との間に必ず隙間ができるので、食べこぼしが発生すると衣服や床等を汚染してしまうという問題がある。本発明は、この食べこぼしによる衣服や床等の汚染を防止することが可能な食べこぼし防止用盆を提供することを目的とする。
【課題を解決するための手段】
【０００６】
本発明の食べこぼし防止用盆は、食物を載せる盆本体と、この盆本体の底面下にスライド可能に装着される食べこぼし受け用部材とを備えたものである。この食べこぼし防止用盆では、スライド可能な食べこぼし受け用部材が盆本体の底面下に装着されているので、盆本体の上に食物を載せたままの状態で食べこぼし受け用部材のみを手前に引き出すことができる。なお、前述の特許文献１に記載の伸縮自在な盆は、盆本体の底面上で摺動するので、盆本体の上に食物を載せたままの状態で伸縮させることは不可能である。
【０００７】
ここで、本発明の食べこぼし防止用盆は、食べこぼし受け用部材が、可撓性を有するものであることが望ましい。これにより、食べこぼし受け用部材を手前に引き出した状態で不意に食べこぼし受け用部材に手や腕を載せたり、押したりした際に、食べこぼし受け用部材のみが撓むようになり、食物が載っている盆本体が傾いたりすることがなくなる。
【０００８】
また、本発明の食べこぼし防止用盆において、食べこぼし受け用部材は、スライド方向の側壁部を備え、盆本体は、周縁部に食べこぼし受け用部材の側壁部と嵌合する側壁部を備えた構成とすることができる。これにより、食べこぼし受け用部材の側壁部と盆本体周縁部の側壁部とが嵌合し、摺動するので、食べこぼし受け用部材はこれらの食べこぼし受け用部材の側壁部と盆本体周縁部の側壁部とによりガイドされてスライドする。
【０００９】
また、食べこぼし受け用部材の側壁部は、この側壁部に可撓性を持たせるためにこの側壁部上端から食べこぼし受け用部材の底部に向かって切り込みが形成されたものであることが望ましい。これにより、食べこぼし受け用部材を手前に引き出した状態で不意に食べこぼし受け用部材に手や腕等を載せたり、押したりした際に、この側壁部の切り込み部分が開いて食べこぼし受け用部材が撓むようになり、食物が載っている盆本体が傾いたりすることがなくなる。
【００１０】
また、本発明の食べこぼし防止用盆は、盆本体が、盆本体の側壁部の外側下部に、盆本体の底面下と食べこぼし受け用部材との間に隙間を形成するための脚部を備えたものであることが望ましい。これにより、食べこぼし防止用盆を食台上へ置いた際、盆本体と食べこぼし受け用部材との間に隙間が形成される。
【００１１】
また、本発明の食べこぼし防止用盆は、食べこぼし受け用部材の奥行きが、盆本体の奥行きよりも長くなるように形成することが望ましい。これにより、食べこぼし受け用部材を盆本体から引き出した際、食べこぼし受け用部材のより多くの部分が盆本体の底面下に残ることになり、重心位置が盆本体側に寄る。
【発明の効果】
【００１２】
（１）食物を載せる盆本体と、この盆本体の底面下にスライド可能に装着される食べこぼし受け用部材とを備えたことにより、盆本体の上に食物を載せたままの状態で食べこぼし受け用部材のみを手前に引き出し、食台と人との間の隙間をこの引き出した食べこぼし受け用部材により塞ぐことができる。すなわち、この食べこぼし受け用部材により食べこぼした食物を受け止めることで、食べこぼした食物が衣服や床等の上に落ちることを防止し、食べこぼした食物による衣服や床等の汚染を防止することが可能となる。
【００１３】
（２）食べこぼし受け用部材が、可撓性を有するものであることにより、食べこぼし受け用部材を手前に引き出した状態で不意に食べこぼし受け用部材に手や腕を載せたり、押したりした際に、食べこぼし受け用部材のみが撓むようになるので、食物が載っている盆本体が傾いたりすることがなくなり、盆本体が転倒するのを防止することができる。
【００１４】
（３）食べこぼし受け用部材が、スライド方向の側壁部を備え、盆本体が、周縁部に食べこぼし受け用部材の側壁部と嵌合する側壁部を備えた構成により、食べこぼし受け用部材が食べこぼし受け用部材の側壁部と盆本体周縁部の側壁部とによりガイドされてスライドするので、食べこぼし受け用部材の引き出しおよび押し戻しをスムーズにすることが可能となる。
【００１５】
（４）食べこぼし受け用部材の側壁部が、この側壁部に可撓性を持たせるためにこの側壁部上端から食べこぼし受け用部材の底部に向かって切り込みが形成されたものであることにより、食べこぼし受け用部材を手前に引き出した状態で不意に食べこぼし受け用部材に手や腕等を載せたり、押したりした際に、この側壁部の切り込み部分が開いて食べこぼし受け用部材が撓むようになるので、食物が載っている盆本体が傾いたりすることがなくなり、盆本体が転倒するのを防止することができる。
【００１６】
（５）盆本体が、盆本体の側壁部の外側下部に、盆本体の底面下と食べこぼし受け用部材との間に隙間を形成するための脚部を備えたものであることにより、食べこぼし防止用盆を食台上へ置いた際、食べこぼし受け用部材がスライドしやすくなる。
【００１７】
（６）食べこぼし受け用部材の奥行きが、盆本体の奥行きよりも長くなるように形成することにより、食べこぼし受け用部材の重心位置が盆本体側に寄るので、食べこぼし受け用部材を盆本体から引き出した際に、食べこぼし受け用部材が盆本体から抜け落ちにくくなる。
【発明を実施するための最良の形態】
【００１８】
図１は本発明の実施の形態における食べこぼし防止用盆の斜視図、図２は図１の食べこぼし受け用部材を盆本体に収納した状態を示す斜視図、図３は盆本体の斜視図、図４は食べこぼし受け用部材の斜視図、図５は図２のＡ−Ａ断面図である。
【００１９】
図１および図２に示すように、本発明の実施の形態における食べこぼし防止用盆１は、食物を載せる盆本体２と、盆本体２の底面下にスライド可能に装着された食べこぼし受け用部材（以下、「受け部材」と称す。）３とから構成される。なお、盆本体２および受け部材３の材質は、プラスチックス、金属や木等のいずれでも良い。
【００２０】
盆本体２は、矩形状の平板からなる底板２０の周縁部の４辺にそれぞれ側壁部２１，２２を備える。側壁部２１は、受け部材３のスライド方向と平行な底板２０の２辺に形成された壁部であり、図５に示すように、下方へ向かって開口した溝部２４を有する。また、側壁部２１の外側下部には、底板２０の下方に受け部材３との隙間を形成するための脚部２３を備える。側壁部２２は、受け部材３のスライド方向と直角な底板２０の２辺に形成された壁部である。側壁部２２には、側壁部２１の溝部２４へ受け部材３を挿入するための開口部２５が形成されている。
【００２１】
受け部材３は、矩形状の平板からなる底板３０の周縁部の３辺にそれぞれ側壁部３１，３２を備える。側壁部３１は、受け部材３のスライド方向と平行な底板３０の２辺に形成されたリブであり、図５に示すように、盆本体２の側壁部２１の溝部２４と嵌合する。側壁部３２は、底板３０の残りの２辺のうちの１辺に形成されたリブであり、使用時には盆本体２の手前側に配置される。
【００２２】
上記構成の食べこぼし防止用盆１は、次のようにして使用する。図６は食べこぼし防止用盆１の使用状態を示す平面図、図７は側面図である。
【００２３】
まず、食べこぼし防止用盆１の盆本体２の底板２０上に食物を盛り付けた食器４ａ，４ｂ，４ｃ，４ｄを載せ、食台５上まで運ぶ。このとき、食べこぼし防止用盆１の受け部材３は図２に示す収納状態としておく方が作業しやすい。そして、食事をする人６は食台５の前に座るが、このとき、食台５と人６との間には隙間７が必ず生じる。そこで、人６は、食べこぼし防止用盆１の受け部材３を手前に引き出し、受け部材３の側壁部３２を体に接触させる。
【００２４】
これにより、食台５と人６との間の隙間７が、引き出した受け部材３により塞がれるので、人６が食べこぼした食物は、この受け部材３の側壁部３１，３２および盆本体２の側壁部２２により囲まれた底板３０上へ落ち、受け止められる。したがって、人６が食べこぼした食物が衣服や床等の上に落ちることがなくなり、食べこぼした食物による衣服や床等の汚染を防止することができる。
【００２５】
また、この食べこぼし防止用盆１は、スライドする受け部材３が盆本体２の底面下に装着されているので、盆本体２の上に食器４ａ〜４ｄを載せたままの状態で受け部材３を手前に引き出すことが可能である。また、食事後についても、受け部材３を盆本体２側へ押し戻して収納してから離席することが可能なため、受け部材３が邪魔になることがない。
【００２６】
なお、本実施形態において受け部材３のスライド方向の奥行きは、盆本体２よりも長く形成されており、図２に示すように収納状態において盆本体２の奥側から突出している。したがって、受け部材３を盆本体３から引き出した際、受け部材３の多くの部分が盆本体２の底面下に残ることになる。これにより、受け部材３の重心位置が盆本体２側に寄るので、受け部材３を盆本体２から引き出した際、受け部材３が盆本体２から抜け落ちにくい。
【００２７】
また、受け部材３をスライドさせる際には、受け部材２の側壁部３１が、盆本体２の側壁部２１の溝部２４によりガイドされるので、受け部材３の引き出しおよび押し戻しをスムーズに行える。また、本実施形態においては、盆本体２の側壁部２１の外側下部に、盆本体２の底面下と受け部材３との間に隙間を形成するための脚部２３を備えるので、受け部材３をスライドしやすい。
【００２８】
なお、図示しないが、脚部２３の底面に盆本体２を食台５上へ固定するための吸盤等の吸着部材を設ける構成とすることも可能である。また、脚部２３の幅は、盆本体２の安定のためには２〜３ｃｍ程度が適切であるが、これに限らず何ｃｍでも良い。また、脚部２３の裾を、受け部材３を巻き込んで盆本体２の底面下に配設することも可能である。また、盆本体２および受け部材３の形状は矩形状に限らず、様々な形状とすることができる。
【００２９】
また、図８に示すように、受け部材３の側壁部３１に、可撓性を持たせるために側壁部３１の上端から受け部材３の底板３０に向かって切り込み３３を形成することもできる。この切り込みにより、側壁部３１が可撓性を有するようになり、図９の（ａ）および（ｂ）に示すように、受け部材３を手前に引き出した状態で受け部材３を下方へ押した際に、側壁部３１の切り込み部分が開いて受け部材３が撓むようになる。これにより、不意に受け部材３に手や腕等を載せたり、手や腕等で突いたり、押したりした際に、食物が載っている盆本体２が傾いたりすることがなくなり、盆本体２や食器４ａ〜４ｄが転倒したり、食器４ａ〜４ｄ上の食物がこぼれたりするのが防止される。
【００３０】
なお、側壁部３１に形成する複数の切り込み３３は、例えば３〜５ｃｍ間隔として側壁部３１の全体に設けたり、受け部材３から手前に引き出される部分の一部に設けたりすることができる。要するに、受け部材３を手前に引き出した状態で受け部材３を下方へ押した際に、側壁部３１の切り込み部分が開いて受け部材３が撓めばよい。また、切り込み３３の深さは底板３０から例えば１〜２ｃｍ程度の位置まで形成して、受け部材３が食べこぼしを受け止められる程度に水平となる強度を保てるようにすることが望ましい。また、受け部材３自身が可撓性を有する素材により形成されている場合には、切り込み３３を省略することも可能である。
【産業上の利用可能性】
【００３１】
本発明の食べこぼし防止用盆は、食物を載せるための盆として有用である。特に、本発明の食べこぼし防止用盆は、食事の際の食べこぼし防止機能を備え、食べこぼしによる衣服や床等の汚染を防止することが可能な盆として好適である。
【図面の簡単な説明】
【００３２】
【図１】本発明の実施の形態における食べこぼし防止用盆の斜視図である。
【図２】図１の食べこぼし受け用部材を盆本体に収納した状態を示す斜視図である。
【図３】盆本体の斜視図である。
【図４】食べこぼし受け用部材の斜視図である。
【図５】図２のＡ−Ａ断面図である。
【図６】食べこぼし防止用盆の使用状態を示す平面図である。
【図７】食べこぼし防止用盆の使用状態を示す側面図である。
【図８】食べこぼし受け用部材の別の実施形態を示す斜視図である。
【図９】図８の食べこぼし受け用部材の作用説明図であって、（ａ）は通常の使用状態を示す図、（ｂ）は受けこぼし受け用部材を下方へ押した状態を示す図である。
【符号の説明】
【００３３】
１  食べこぼし防止用盆
２  盆本体
２０  底板
２１，２２  側壁部
２３  脚部
２４  溝部
２５  開口部
３  受け部材
３０  底板
３１，３２  側壁部
３３  切り込み
４ａ，４ｂ，４ｃ，４ｄ  食器
５  食台
６  人
【図１】
2006000683.tif 000003
【図２】
2006000683.tif 000004
【図３】
2006000683.tif 000005
【図４】
2006000683.tif 000006
【図５】
2006000683.tif 000007
【図６】
2006000683.tif 000008
【図７】
2006000683.tif 000009
【図８】
2006000683.tif 000010
【図９】
2006000683.tif 000011